(57)【要約】      （修正有）【課題】身の回りの小物などのグッズを、その場で簡単に他人との差別化を図ったオリジナルグッズとすることができ、しかも背景が透けて見えたり、印刷が不鮮明にならないようにした装飾シールのプリント供給システムを提供する。【解決手段】装飾シール５のプリント面５ａに貼付画像８を反転画像としてプリントアウトした後、該装飾シール５のプリント面５ａを被プリント物体に貼り付けて正画像となるようにした装飾シール５のプリント供給システムであって、前記装飾シール５が剥離可能な裏紙５２を取り付けた合成樹脂製の透明シート５０であり、該装飾シール５のプリント面５ａを非光沢面となるように不透明な白色無機質微粉顔料からなるインク受容層５１をコーティングした。【選択図】図５
2009083453.tif 000002
【特許請求の範囲】
【請求項１】
被プリント物体の画像データを入力し、装飾シールにプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記装飾シールのプリント面に反転画像としてプリントアウトした後、該装飾シールのプリント面を前記被プリント物体に貼り付けて正画像となるようにした装飾シールのプリント供給システムであって、前記装飾シールが剥離可能な裏紙を取り付けた合成樹脂製の透明シートであり、該装飾シールのプリント面を非光沢面となるように不透明な白色無機質微粉顔料からなるインク受容層をコーティングしたことを特徴とする、装飾シールのプリント供給システム。
【発明の詳細な説明】
【技術分野】
【０００１】  本発明は、携帯電話や身の回りの小物などのグッズにプリントシールを貼り付けるようにした装飾シールのプリント供給システムに関する。
【背景技術】
【０００２】  最近では、携帯電話や身の回りの小物などのグッズを、他人と差別化を図るために所望のデザインや所望のカラーに装飾したり、思い出の写真やお気に入りの写真を貼り付けたりして世界に一つしかないオリジナルグッズとして楽しむ傾向がある。これを実現する方法として塗装（エアーブラシ、筆等）を行ったり、塩化ビニル系等の樹脂フィルム製のシールに印刷し、このシールを貼り付けることがある。
【発明の開示】
【発明が解決しようとする課題】
【０００３】  しかしながら、塗装を行うためには専門の塗装業者に依頼するなど所定期間預け出さなければならず、その間、携帯電話等を使用できないといった煩わしさがある。また、市販のシールに希望するデザイン等を印刷し、このシールを携帯電話等に貼り付ける場合もシール自体が透明であるため背景が透けて見えたり、ボディが黒い場合は印刷が鮮明にならないなどの不具合がある。【０００４】  本発明は、上記課題に鑑みてなされたものであって、その目的は、携帯電話や身の回りの小物などのグッズを、専門の塗装業者に依頼することなく、その場で簡単に他人との差別化を図ったオリジナルグッズとすることができ、しかも背景が透けて見えたり、印刷が不鮮明にならないようにした装飾シールのプリント供給システムを提供することにある。
【課題を解決するための手段】
【０００５】  上記のような目的を達成するために、本発明の装飾シールのプリント供給システムは、被プリント物体の画像データを入力し、装飾シールにプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記装飾シールのプリント面に反転画像としてプリントアウトした後、該装飾シールのプリント面を前記被プリント物体に貼り付けて正画像となるようにした装飾シールのプリント供給システムであって、前記装飾シールが剥離可能な裏紙を取り付けた合成樹脂製の透明シートであり、該装飾シールのプリント面を非光沢面となるように不透明な白色無機質微粉顔料からなるインク受容層をコーティングしたことを特徴とするものである。
【発明の効果】
【０００６】  上記構成の本発明によれば、携帯電話や身の回りの小物などのグッズを、専門の塗装業者に依頼することなく、その場で簡単に他人との差別化を図ったオリジナルグッズとすることができる。また本発明によれば、簡単に装飾シールを携帯電話や身の回りの小物などのグッズに貼り付けることができ、しかも背景が透けて見えたり、印刷が不鮮明にならないようにした装飾シールのプリント供給システムを提供することができる。
【発明を実施するための最良の形態】
【０００７】  以下、図面を参照しながら、本発明に係る実施の形態について説明する。【０００８】＜イ＞本システム（図１）
本システムは、被プリント物体（携帯電話や身の回りのグッズなど、その表面にお気に入りの画像をプリントする物品）７の画像データを入力する撮影用のカメラ１０と、お気に入りの画像（貼付画像８）データを入力する貼付画像入力装置１１と、これらカメラ１０及び貼付画像入力装置１１によって入力された画像を編集するパソコン本体部２と、編集したお気に入りの画像を装飾シール５にプリント（印刷）するインクジェットプリンター３と、装飾シール５を被プリント物体７に貼り付けるシール貼付装置４等から構成されている。カメラ１０、貼付画像入力装置１１及びパソコン本体部２は、筐体１内に収納されている。また筐体１には、各種画像を表示するディスプレイ装置１２、コイン投入口１５、スピーカ１６等が備えられている。カメラ１０が設置されている箇所はボックス状に凹んでおり、被プリント物体７を置いて撮影することができるように受台１４となっている。筐体１、プリンター３、シール貼付装置４は、台６に載置されている。【０００９】＜ロ＞貼付画像入力装置（図１）
貼付画像入力装置１１は、例えば撮影用カメラ１１ａや記録メディア入力装置１１ｂである。撮影用カメラ１１ａはユーザーを写真撮影し、貼付画像データを出力する。記録メディア入力装置１１ｂは、各種のメモリカードや記録媒体等の記録メディアから画像データを読み取るもので、カードリーダ、ＣＤ／ＤＶＤドライブ、赤外線ポート、スキャナー等を用いることができる。【００１０】＜ハ＞ディスプレイ装置（図１、図２）
ディスプレイ装置１２はタッチパネル１３を兼ねており、タッチ操作により画像の選択、画像の合成・編成等の入力ができる。ディスプレイ１２には、画像編集処理における各種メッセージや各種編集ツール、編集対象の画像などが表示され、タッチペン（または指）をタッチパネル１３に接触させることによって、入力操作が可能になる。表示される画像の一例を図２に示す。図２（Ａ）は被プリント物体画像７ａを示し、図２（Ｂ）は被プリント物体画像７ａに貼付画像８を重ね、編集する状態の画像を示し、図２（Ｃ）は編集した重ね表示画像９を示す。本システムの各種操作は、ディスプレイ１２に表示される各種メッセージや、スピーカー１６からのガイダンス音声にしたがって行う。【００１１】  ＜ニ＞パソコン本体部（図３）
パソコン本体部２には、カメラ１０、１１ａの撮影動作を制御すると共に、撮影された画像データを画像処理回路２２へ送出するカメラ制御回路２０と、装置全体の制御を行う中央処理装置（ＣＰＵ）２１と、画像データの編成処理を行う画像処理回路２２と、画像合成処理のプログラムを含む各種のアプリケーションソフト等が格納され、また各種画像データが一時記録されるメモリ回路２３と、記録メディア入力装置１１ｂを制御する制御部２４と、プリンター用インターフェース２５とが設けられている。２６は、各回路要素間のデータの伝送を行うデータパスである。【００１２】  パソコン本体部２の主要な機能は、▲１▼カメラ１０により撮影された被プリント物体画像７ａ（図２（Ａ））の電子データを記録し、▲２▼カメラ１１ａにより撮影された被写体等の貼付画像８（図２（Ｂ）、図５（Ｄ））の電子データを記録し、画像処理を行い、▲３▼あるいは記録メディア入力装置１１ｂから読み込んだお気に入り画像（貼付画像８）データの画像処理を行い、▲４▼被プリント物体画像７ａと貼付画像８とを重ね表示し（図２（Ｂ）、図２（Ｃ））、▲５▼ユーザーによって書き込まれた文字等と合成して所望の画像データ信号を編成し、▲６▼ディスプレイ装置１２に出力して、所望の画像を表示させるとともに、▲７▼プリンター３に出力して、所望の画像を装飾シール５にプリントするという一連の作動を実行する。【００１３】＜ホ＞装飾シール（図４、図５）
装飾シール５は、図４に示すように多延性のあるポリエチレンやポリプロピレンなど透明な塩化ビニル系等の合成樹脂製シート材またはフィルム材５０で、その表側に不透明な白色無機質微粉顔料からなるインク受容層５１をコーティングし、裏側に台紙となる裏紙５２を剥離可能に貼着してある。インク受容層５１は、例えば酸化チタンや合成シリカ、水酸化アルミニウム等の白色微粉顔料に、ポリビニルアルコールやポリビニルブチラール、デンプン、ゼラチン等のバインダーを混合してつくることができる。このインク受容層５１へインクの染料分子が浸透、定着する。【００１４】  インク受容層５１をプリントする範囲にコーティングし、装飾シール５のプリント面５ａとしている（図５（Ａ））。プリント面５ａに反転画像をインクジェット記録方式により印字する。印字された画像は反転画像であるため、これをプリント面５ａの裏面方向から観察することにより画像を正画像として見ることができる。またインク受容層５１は乳白色であるため、裏紙５２を剥がしてプリント面５ａを被プリント物体７に貼り付けた場合、被プリント物体７に色彩や図柄があったとしても、これらが透けて見えたりすることがなく、また被プリント物体７が黒いボディであっても鮮明に正画像が見えるようになっている。このように装飾シール５は、画像をプリントしたプリント面５ａとは反対の面から画像を観察するバックプリント記録媒体である。【００１５】  なお、図５（Ａ）に装飾シール５を示し、（Ｂ）にプリント面５ａに印刷した反転画像（貼付画像８）を示し、（Ｃ）に装飾シール５から台紙５２を剥離している状態を示し、（Ｄ）に被プリント物体７に貼り付けた場合の正画像（貼付画像８）を示している。【００１６】  ＜ヘ＞シール貼付装置（図６）
シール貼付装置４は、所望の画像をプリントした装飾シール５を被プリント物体７へ貼り付けるもので、本体４０に作業台４４及び真空ボックス４５が設けられ、蓋４１にヒータ４２及び弾力性のあるマット部材４３が設けられている。真空ボックス４５は、作業台４４との間に真空吸引のための小孔４６が多数あけられ、下方に吸引ホース４７を介して真空ポンプ４８に接続している。【００１７】  図６（Ａ）は装飾シール５の貼付準備状態を示し、作業台４４の上に熱可塑性接着剤を塗布した被プリント物体（携帯電話）７を載せ、前記したようにプリントした装飾シール５のプリント面５ａが被プリント物体７側となるようにこれに被せている。次に図６（Ｂ）に示すように把手４１ａを押し下げながら蓋４１を下降し、加熱されたマット４３が装飾シール５を覆うとともに、真空ポンプ４８で真空吸引することで、被プリント物体７の表面に沿って装飾シール５が延伸し、熱可塑性接着剤が溶融される。その後、把手４１ａを持ち上げながら蓋４１を上昇させて装飾シール５からマット４３を引き離すと、熱可塑性接着剤の温度が下がって硬化し、装飾シール５が被プリント物体７に貼り付けられる。【００１８】＜ト＞作用
ユーザー自身の写真に別の写真や文字を合成してプリントした装飾シール５を、被プリント物体７（携帯電話）に貼り付ける場合について、図７のフローチャートに基づいて述べる。【００１９】  先ずコイン投入口１５にコインを投入し（ステップＳ１）、タッチパネル１３を操作して被プリント物体７をカメラ１０で写真撮影する。このように撮影した画像データ（被プリント物体画像７ａ、図２（Ａ））をメモリ回路２３に保存する（ステップＳ２）。【００２０】  次に装飾シール５にプリントするユーザーの画像（貼付画像８）をその場で写真撮影か、お気に入りの写真を読み込むかをタッチパネル１３で選択する（ステップＳ３）。その場で撮影の場合はカメラ１１ａで写真撮影する（ステップＳ４）。写真撮影した貼付画像８を、例えば図５（Ｄ）に示す。記録メディア、例えばデジカメ等で既に撮影済みの写真の場合は、メモリデータを記録メディア入力装置（カードリーダ）１１ｂで読み込む（ステップＳ５）。タッチパネル１３を操作して読み込んだ画像データの一覧をディスプレイ装置１２上に表示させる。一覧のうち希望するお気に入りのものをタッチして画像データを選択すると（ステップＳ６）、その画像データがメモリ回路２３に読み込まれる（ステップＳ７）。読み込まれる貼付画像８を、例えば図５（Ｄ）に示す。【００２１】  なお、ステップＳ５のメモリデータの読み込みのほかにＣＤ、ＤＶＤ、紙、携帯電話（赤外線）等から読み込んでもよい。【００２２】  読み込んだ貼付画像８の背景等を修正する場合は（ステップＳ８）、タッチパネル１３で編集モードに切り替え、タッチペンを用いて貼付画像８の背景画像を修正する（ステップＳ９）。次にユーザー自身の写真にアイドルなど芸能人の写真、あるいは景色の写真等を合成する場合は、次の画像データを読み込むかどうかを判断し（ステップＳ１０）、読み込む必要があれば、作業は前記ステップＳ３に戻り、同様の操作を行う。読み込む必要がない場合は、ステップＳ１１へ進む。ステップＳ１１では、ステップＳ２で読み込んだ被プリント物体画像７ａをメモリ回路２３から読み出してディスプレイ１２に表示する。【００２３】  次いでタッチパネル１３で編集モードに切り替え、被プリント物体画像７ａに貼付画像８を重ねて表示し（ステップＳ１２）、被プリント物体画像７ａに対して貼付画像８の大きさや貼付位置が希望どおりか確認する（図２（Ｂ）参照）。希望どおりでない場合はタッチペンで貼付画像８を矢印ａのごとくドラッグして縮小または拡大したり、矢印ｂのごとくドラッグして移動して貼付位置を修正する（ステップＳ１３）。このようにして重ね表示画像９を作成する（図２（Ｃ）参照）。【００２４】  落書きを行う場合は、落書モード（文字入力モード）を起動させ、合成画像上にタッチペンを用いて合成用の文字列（自筆の文字、図形等）を入力し、文字情報を合成手段により合成してディスプレイ１２に表示する（ステップＳ１４）。合成された文字情報（フォント・サイズ・文字色など）を編集する場合には、文字情報編集モードに切り替えて、タッチペンにより文字情報の修正を行う。
以上の処理により、ユーザーが撮影した画像データ及びこの画像データに付加された文字情報を合成した貼付画像８を作成することができる。【００２５】  次に、貼付画像８をプリントするかを確認してＯＫであれば、プリンター３に装飾シール５をセットし、ディスプレイ画面１２の「プリント」ボタンを押す。これにより、インターフェース２５に当該貼付画像８が送信され、プリンタ−３により装飾シール５に文字やイラスト等が左右反転した反転画像（貼付画像８）が印刷される（ステップＳ１５、図５（Ｂ））。もう１枚プリントする場合は（ステップＳ１６）、コインを投入し（ステップＳ１７）、同様にディスプレイ画面１２の「プリント」ボタンを押す。【００２６】  反転画像を印刷した装飾シール５から裏紙５２を剥がし（図５（Ｃ））、プリント面５ａが被プリント物体７に向くようにこれに被せ、前記したようにシール貼付装置４を操作して被プリント物体７に貼り付けて正画像とする（図５（Ｄ））。装飾シール５のプリント面５ａと被プリント物体７との間に白色微粉顔料が介在されることによって、貼り付けた装飾シール５の下側の背景が透けて見えることがなく、またボディが黒い携帯電話等に装飾シール５を貼り付けた場合でも印刷面が鮮明に見え、デラックスな感じを与えることができる。【００２７】  また、シール貼付装置４を使用することなく、手動で装飾シール５を携帯電話等の被プリント物体７の表面に押し当て、ドライヤー等の加熱器具により適度な加熱を行いつつ、ゆっくりと延ばしながら、貼り付けてもよい。【００２８】  このようにして、本発明によればお気に入りの写真画像やこれらの合成画像を装飾シール５にプリントアウトすることができ、この装飾シール５をその場で携帯電話など身の回りのグッズに貼り付けて、世界に一つしかないオリジナルグッズとして楽しむことができる。また本発明によれば装飾シール５を貼り付けた携帯電話等の被プリント物体７の本体を装飾するのみならず、本体表面を保護し、表面に細かい傷がつくことを防止するとともに防水効果、耐油、耐薬品性を高める。
【図面の簡単な説明】
【００２９】
【図１】本発明のプリント供給システムを示す概略斜視図。
【図２】各種の画像を示す図で、（Ａ）は被プリント物体画像を示し、（Ｂ）は被プリント物体画像に貼付画像を重ね、編集する状態の画像を示し、（Ｃ）は編集した重ね表示画像を示す。
【図３】本システムの回路構成を示すブロック図。
【図４】図５（Ａ）のａ−ａ線に沿う拡大断面図。
【図５】装飾シールの各状態を示す図で、（Ａ）は装飾シールの斜視図、（Ｂ）はプリント面に印刷した反転画像（貼付画像）を示し、（Ｃ）は装飾シールから台紙を剥離している状態を示し、（Ｄ）は装飾シールを被プリント物体に貼り付けた場合の正画像（貼付画像）を示す。
【図６】シール貼付装置を示す概略図で、（Ａ）は装飾シールの貼付準備状態を示し、（Ｂ）は装飾シールの貼付状態を示す。
【図７】装飾シールのプリント供給システムの操作手順を示すフローチャート。
【符号の説明】
【００３０】１・・・・筐体
１０・・・カメラ
１１ａ・・カメラ
１１ｂ・・記録メディア入力装置
１２・・・ディスプレイ装置
１３・・・タッチパネル
２・・・・パソコン本体部
２０・・・カメラ制御回路
２２・・・画像処理回路
２３・・・メモリ回路
３・・・・プリンター
４・・・・シール貼付装置
４２・・・ヒータ
４４・・・作業台
４５・・・真空ボックス
５・・・・装飾シール
５０・・・シート材
５１・・・インク受容層
７・・・・被プリント物体
７ａ・・・被プリント物体画像
８・・・・貼付画像
９・・・・重ね表示画像
【図１】
2009083453.tif 000003
【図２】
2009083453.tif 000004
【図３】
2009083453.tif 000005
【図４】
2009083453.tif 000006
【図５】
2009083453.tif 000007
【図６】
2009083453.tif 000008
【図７】
2009083453.tif 000009